(57)【要約】【課題】必要な点検モードのみを個別に選択実行し、点検の時間短縮や点検で使う水の節約を行うことができる点検装置を備える洗濯機を実現する。【解決手段】衣類等を洗濯及び脱水する洗濯脱水槽４と、洗濯脱水槽４に水を入れる給水手段１と、洗濯脱水槽４内の水を排水する排水手段５と、洗濯脱水槽４と給水手段１と排水手段５を制御及び異常を検知する制御手段６と、制御手段６を使用者または点検者が操作する操作手段２と、制御手段６に接続され操作手段２で操作された状況や操作の結果を表示する表示手段３とを備えた洗濯機において、予め定めた複数の点検モードを備え、複数の点検モード内の個々の点検モードは操作手段２を使って個別に点検を実施可能に構成したことにより、実施したい点検モードのみを実施することができる。【選択図】図１
2017063819.tif 000002
【特許請求の範囲】
【請求項１】
衣類等を洗濯及び脱水する洗濯脱水槽と、前記洗濯脱水槽に水を供給する給水手段と、前記洗濯脱水槽内の水を排水する排水手段と、前記洗濯脱水槽と前記給水手段と前記排水手段を制御及び異常を検知する制御手段と、運転を設定する操作手段と、前記操作手段で設定された運転状況や操作の結果を表示する表示手段とを備えた洗濯機において、予め定めた複数の点検モードを備え、前記制御手段は、前記複数の点検モード内の個々の点検モードを前記操作手段の操作により個別に選択可能に構成したことを特徴とする洗濯機。
【請求項２】
前記制御手段は、任意に複数選択した点検モードを、前記複数選択した点検モードを確定した後に実行するよう構成したことを特徴とする請求項１記載の洗濯機。
【請求項３】
前記制御手段は、選択された点検モードの実行終了後に、前記表示手段によって他の点検モードの実行を促す表示を行うよう構成したことを特徴とする請求項１または２記載の洗濯機。
【発明の詳細な説明】
【技術分野】
【０００１】
本発明は衣類等を洗濯する洗濯機に関し、特に、点検装置を備えた洗濯機に関するものである。
【背景技術】
【０００２】
従来、洗濯機に搭載されている点検装置は、点検を開始すると予め決めておいた複数の点検モードを毎回全て行っていた（例えば、特許文献１参照）。
【０００３】
図５は、特許文献１に記載された従来の洗濯機の構成を示し、図６は点検の工程をフローチャートで示すものである。
【０００４】
その構成と動作を以下に説明する。図５に示すように、衣類を洗濯及び脱水するための洗濯脱水槽４と、洗濯脱水槽４に水を入れるための給水手段１と、洗濯脱水槽４内の水を排水するための排水手段５と、洗濯脱水槽４と給水手段１と排水手段５を制御する制御手段６と、制御手段６を使用者が操作するための操作手段２と、制御手段６に接続され操作手段２で操作された状況や操作の結果を表示する表示手段３により構成されている。
【０００５】
操作手段２には、洗浄コースを選択するためのコース選択スイッチ７、洗い工程、すすぎ工程、注水すすぎ工程、脱水工程を単独で実行させるための工程選択スイッチ８、洗濯機の運転時間を設定するための予約スイッチ９等の各種スイッチが配設されている。そして、これら各種スイッチとは独立させて、一連の点検モード全ての実行を指示するための点検コーススイッチ１０が配設されている。
【０００６】
図６のフローチャートで示すように、使用者が操作手段２の点検コーススイッチ１０によって、ステップＳ４０１で点検モードを選択すると、制御手段６は給水手段１を制御してステップＳ４０２で洗濯脱水槽４に給水を行い、ステップＳ４０３で給水異常確認を行い、ステップＳ４０３で給水異常があれば、制御手段６は表示手段３を制御してステップＳ４１１で異常表示を行い、点検モードを終了する。
【０００７】
ステップＳ４０３で給水異常がなければ、制御手段６は、洗濯脱水槽４を制御してステップＳ４０４で洗濯を行い、ステップＳ４０５で洗濯異常確認を行い、ステップＳ４０５で洗濯異常があれば、制御手段６は表示手段３を制御してステップＳ４１１で異常表示を行い、点検モードを終了する。
【０００８】
ステップＳ４０５で洗濯異常がなければ、制御手段６は、排水手段５を制御してステップＳ４０６で洗濯脱水槽４内の水の排水を行い、ステップＳ４０７で排水異常確認を行い、ステップＳ４０７で排水異常があれば、制御手段６は表示手段３を制御してステップＳ４１１で異常表示を行い、点検モードを終了する。
【０００９】
ステップＳ４０７で排水異常がなければ、制御手段６は、洗濯脱水槽４を制御してステップＳ４０８で脱水を行い、ステップＳ４０９で脱水異常確認を行い、ステップＳ４０９で脱水異常があれば、制御手段６は、表示手段３を制御してステップＳ４１１で異常表示を行い、点検モードを終了する。
【００１０】
ステップＳ４０９で脱水異常がなければ、点検モードを終了する。
【先行技術文献】
【特許文献】
【００１１】
【特許文献１】特開２００５−３３４０３７号公報
【発明の概要】
【発明が解決しようとする課題】
【００１２】
しかしながら、このような従来の洗濯機の点検装置は、点検を開始すると、予め決めておいた点検モードを全て実施するため、初期点検時には有効であるが、再点検や個別の動作モードの点検のみを行いたい場合に実施したい点検モードが明確な場合でも、全ての点検モードを実施するため、確認時間や点検時に使う水に無駄が発生する課題があった。
【００１３】
本発明は、上記従来の課題を解決するもので、洗濯機の各工程の点検モードを個別に実施できる点検装置を備えた洗濯機を提供することを目的としている。
【課題を解決するための手段】
【００１４】
本発明は、上記目的を達成するために、衣類等を洗濯及び脱水する洗濯脱水槽と、前記洗濯脱水槽に水を供給する給水手段と、前記洗濯脱水槽内の水を排水する排水手段と、前記洗濯脱水槽と前記給水手段と前記排水手段を制御及び異常を検知する制御手段と、運転を設定する操作手段と、前記操作手段で設定された運転状況や操作の結果を表示する表示手段とを備えた洗濯機において、予め定めた複数の点検モードを備え、前記制御手段は、前記複数の点検モード内の個々の点検モードを前記操作手段の操作により個別に選択可能に構成したことを特徴とする洗濯機である。
【００１５】
これにより、実施したい点検モードのみを個別に実施できるので、異常確認時間の短縮や点検モード実行時の節水を実現することができる。
【発明の効果】
【００１６】
本発明の洗濯機の点検装置は、予め決めておいた複数の点検モード内の個々の点検モードを操作手段を使って個別に点検を実施可能に構成したことで、実施したい点検モードのみを実施できる洗濯機の点検装置を実現することができる。
【図面の簡単な説明】
【００１７】
【図１】本発明の実施の形態における洗濯機の構成を示す図
【図２】本発明の実施の形態１における洗濯機の点検装置の動作フローチャート
【図３】本発明の実施の形態２における洗濯機の点検装置の動作フローチャート
【図４】本発明の実施の形態３における洗濯機の点検装置の動作フローチャート
【図５】従来の洗濯機の構成を示す図
【図６】従来の洗濯機の点検装置の動作フローチャート
【発明を実施するための形態】
【００１８】
第１の発明は、衣類等を洗濯及び脱水する洗濯脱水槽と、前記洗濯脱水槽に水を供給する給水手段と、前記洗濯脱水槽内の水を排水する排水手段と、前記洗濯脱水槽と前記給水手段と前記排水手段を制御及び異常を検知する制御手段と、運転を設定する操作手段と、前記操作手段で設定された運転状況や操作の結果を表示する表示手段とを備えた洗濯機において、予め定めた複数の点検モードを備え、前記制御手段は、前記複数の点検モード内の個々の点検モードを前記操作手段の操作により個別に選択可能に構成したものである。ことを特徴とする洗濯機。
【００１９】
これにより、実施したい点検モードのみを実施することができるので、異常確認時間の短縮や点検モード実行時の節水を実現することができる。
【００２０】
第２の発明は、前記制御手段は、任意に複数選択した点検モードを、前記複数選択した点検モードを確定した後に実行するよう構成したものである。
【００２１】
これにより、使用者や点検者が実施したい点検モードのみを選択した後に、選択した点検モードを一連の動作として連続して実施できるので、異常確認時間の短縮や点検モード実行時の節水を実現することができるとともに、点検作業を効率よく行うことができる。
【００２２】
第３の発明は、前記制御手段は、選択された点検モードの実行終了後に、前記表示手段によって他の点検モードの実行を促す表示を行うよう構成したものである。
【００２３】
これにより、使用者や点検者が実施したい点検モードのみを実施できるので、異常確認時間の短縮や点検モード実行時の節水を実現することができるとともに、他の機能に対しても点検の注意喚起を行い、他の点検モードを追加で実施したいと考えた場合にも容易に追加して点検確認を行うことができ、点検作業を効率よく行うことができる。
【００２４】
以下、本発明の実施の形態について、図面を参照しながら説明する。なお、従来例と同じ構成のものは同一符号を付して説明を省略する。また、この実施の形態によって本発明が限定されるものではない。
【００２５】
（実施の形態１）
図１は本発明の実施の形態１における洗濯機の構成を示す図、図２は同洗濯機の点検装置の動作フローチャートである。
【００２６】
洗濯機および洗濯機の点検装置としての基本構成および動作は、従来例と同様であるので、説明は省略し、本発明の特徴である操作手段の構成および操作手段を操作して実行される点検モードの動作、作用について、以下に説明する。
【００２７】
図１において、操作手段２には、洗浄コースを選択するためのコース選択スイッチ７、洗い工程、すすぎ工程、脱水工程を単独で実行させるための工程選択スイッチ８、洗濯機の運転時間を設定するための予約スイッチ９等の各種スイッチが配設されている。これら各種スイッチとは独立させて、予め定めた複数の点検モードを切り替えて選択可能とし、選択された点検モードを個別に実行するための点検スイッチ２０が配設されている。
【００２８】
点検スイッチ２０は、押す度に、給水点検モード、洗濯点検モード、排水点検モード、脱水点検モードの順にサイクル的に点検モードが切り替わるように構成されており、点検したいモードが任意に選択できるように構成されている。
【００２９】
図１および図２において、使用者や点検者が操作手段２の点検スイッチ２０によって給水点検モードを選択すると、制御手段６は、ステップＳ１０１で給水点検モードが選択されたと判定し、給水手段１を制御してステップＳ１０２で洗濯脱水槽４に給水を行う。ステップＳ１０３で給水異常確認を行い、ステップＳ１０３で給水異常があれば、制御手段６は、表示手段３を制御して、ステップＳ１１４で異常表示を行い、点検モードを終了する。
【００３０】
給水異常確認は、例えば、給水手段１を動作させた後、所定時間経過後に洗濯脱水槽４内の水位が所定水位に達するか否かを、洗濯脱水槽４に連通させて設けた水位センサで検知することで行う。なお、洗濯脱水槽４内の水位が所定水位に達した後、給水手段１の動作を停止して所定時間放置し、洗濯脱水槽４や内部給排水経路からの漏水の有無、給水手段１や排水手段５の動作不良の確認を併せて行ってもよい。
【００３１】
ステップＳ１０３で給水異常がなければ、給水点検モードを終了する。
【００３２】
使用者や点検者が、操作手段２の点検スイッチ２０によって洗濯点検モードを選択すると、制御手段６は、ステップＳ１０１で給水点検モード選択ではないと判定された後、ステップＳ１０４で洗濯点検モードが選択されたと判定し、洗濯点検モードを実行する。
【００３３】
制御手段６は、洗濯脱水槽４を制御してステップＳ１０５で洗濯動作を行う。ステップＳ１０６で洗濯異常確認を行い、ステップＳ１０６で洗濯異常があれば、制御手段６は、表示手段３を制御してステップＳ１１４で異常表示を行い、点検モードを終了する。
【００３４】
洗濯異常確認は、例えば、洗濯脱水槽４を回転駆動させるモータに内蔵したロータ位置センサによって、所定時間内に所定の回転数に達するか否か、また設定通りの正逆反転動作を行うか否かを、検知することで行う。なお、実際の洗濯に近い状態での洗濯異常確認を行うため、洗濯脱水槽４を回転させる前に給水手段１を制御して洗濯脱水槽４内に給水しておいてもよい。
【００３５】
ステップＳ１０６で洗濯異常がなければ、洗濯点検モードを終了する。
【００３６】
使用者や点検者が、操作手段２の点検スイッチ２０によって排水点検モードを選択すると、制御手段６は、ステップＳ１０１で給水点検モード選択ではないと判定し、さらにステップＳ１０４で洗濯点検モード選択ではないと判定した後、ステップＳ１０７で排水点検モードが選択されたと判定し、排水点検モードを実行する。制御手段６は、排水手段５を制御してステップＳ１０８で洗濯脱水槽４内の水の排水を行い、ステップＳ１０９で排水異常確認を行い、ステップＳ１０９で排水異常があれば、制御手段６は表示手段３を制御してステップＳ１１４で異常表示を行い点検モードを終了する。排水異常確認は、例えば、排水手段５を動作させた後、所定時間経過後に洗濯脱水槽４内の水位がゼロになるか否かを、洗濯脱水槽４に連通させて設けた水位センサで検知することで行う。
【００３７】
ステップＳ１０９で排水異常がなければ排水点検モードを終了する。
【００３８】
使用者や点検者が、操作手段２の点検スイッチ２０によって脱水点検モードを選択すると、制御手段６は、ステップＳ１０１で給水点検モード選択ではないと判定し、ステップＳ１０４で洗濯点検モード選択ではないと判定し、さらにステップＳ１０７で排水点検モード選択ではないと判定した後、ステップＳ１１０で脱水点検モードが選択されたと判定し、脱水点検モードを実行する。制御手段６は、洗濯脱水槽４を制御してステップＳ１１１で脱水動作を行い、ステップＳ１１２で脱水異常確認を行う。ステップＳ１１２で脱水異常があれば、制御手段６は表示手段３を制御してステップＳ１１４で異常表示を行い、点検モードを終了する。脱水異常確認は、例えば、洗濯脱水槽４を回転駆動させるモータに内蔵したロータ位置センサによって、所定時間内に所定の回転数に達するか否かを検知することで行う。
【００３９】
ステップＳ１１２で脱水異常がなければ脱水点検モードを終了する。
【００４０】
使用者や点検者が操作手段２の点検スイッチ２０によっていずれの点検モードも選択していない状態で点検モードが選択された場合は、ステップＳ１０１、ステップＳ１０４、ステップＳ１０７を経て、ステップＳ１１０で点検モードの選択がないと判定され、ステップＳ１１３で洗濯モードを実行する。
【００４１】
このように、本発明の点検装置を備えた洗濯機によれば、使用者や点検者が実施したい点検モードのみを実施できるので、異常確認時間の短縮や点検モード実行時の節水を実現
することができる。
【００４２】
なお、上記の個別の点検モードに加えて、各個別点検モードを複数組み合わせた点検モードや、従来の一連の点検モード全てを行う点検コースが、点検スイッチ２０による順次切り替え選択可能な選択肢に含まれてもよい。
【００４３】
また、点検スイッチ２０の構成は、予め定めた複数の点検モードから選択可能で、選択された点検モードを個別に実行できる構成であればよく、上記した各種スイッチとは独立させて点検スイッチを設けたものでなくてもよい。例えば、コース選択スイッチ７、工程選択スイッチ８、予約スイッチ９等の各種スイッチの長押しにより個別の点検モードに移行する構成や、各種スイッチの複数同時押しによって個別の点検モードに移行する構成であってもよい。
【００４４】
（実施の形態２）
図３は、本発明の実施の形態２における洗濯機の備える点検装置の動作フローチャートである。
【００４５】
本実施の形態の洗濯機の備える点検装置は、以下の点で、上述した実施の形態１と相違する。すなわち、予め用意された複数の点検モードの内から使用者や点検者が任意に複数の点検モードを選択でき、複数選択した点検モードを一連の動作（点検コース）として実行できる構成とした点である。
【００４６】
本実施の形態の特徴である操作手段の構成およびそれを操作して実行される点検モードの動作、作用について、以下に説明する。
【００４７】
図１において、操作手段２には、洗浄コースを選択するためのコース選択スイッチ７、洗い工程、すすぎ工程、脱水工程を単独で実行させるための工程選択スイッチ８、洗濯機の運転時間を設定するための予約スイッチ９等の各種スイッチが配設されている。また、これら各種スイッチとは独立させて、予め定めた複数の点検モードから任意に複数選択可能とし、選択された点検モードを一連の動作として実行するための点検スイッチ２０が配設されている。
【００４８】
点検スイッチ２０は、押す度に給水点検モード、洗濯点検モード、排水点検モード、脱水点検モードの順にサイクル的に点検モードが切り替わるように構成されており、点検したいモードが任意に複数選択できるように構成されている。また、この点検スイッチ２０は、長押しすることにより、それまでに選択された複数の点検モードを一連の点検コースとして確定し、実行を開始するよう構成されている。点検スイッチ２０によって選択された（切り替え表示された）点検モードの選択確定は、その状態で予約スイッチ９を押すことによって行われる構成である。
【００４９】
図１および図３において、使用者や点検者が操作手段２の点検スイッチ２０を操作して点検モードを選択すると、制御手段６は、ステップＳ２０１で点検モードが選択されたと判定する。操作手段２の点検スイッチ２０と予約スイッチ９の操作により、ステップＳ２０２で確認したい点検モードの種類を複数選択し、最後に点検スイッチ２０を長押しすることにより、それまでに選択された複数の点検モードを一連の点検コースとして確定し、点検動作が開始される。ステップＳ２０２で選択した点検モードの内でまだ実行していない点検モードの一つをステップＳ２０３で実行し、ステップＳ２０４で異常確認を行い、ステップＳ２０４で異常があれば制御手段６は表示手段３を制御してステップＳ２０７で異常表示を行い、点検モードを終了する。
【００５０】
ステップＳ２０４で異常がなければ、ステップＳ２０２で選択した点検モードが全て完了したかどうかをステップＳ２０５で確認し、ステップＳ２０５で選択した全ての点検モードが完了していなければ、ステップＳ２０３に戻り、まだ実行していない点検モードの一つを実行する。なお、個々の点検モードにおける異常確認動作は、実施の形態１と同様にして行われる。
【００５１】
ステップＳ２０５で選択した全ての点検モードが完了していれば、点検モードを終了する。
【００５２】
使用者や点検者が操作手段２によってステップＳ２０１で点検モードを選択していなければ、ステップＳ２０６で洗濯モードを実行する。
【００５３】
以上のように、本実施の形態の洗濯機の点検装置によれば、使用者や点検者が実施したい点検モードのみを選択し、選択した点検モードを一連の動作として連続して実行できるので、異常確認時間の短縮や点検モード実行時の節水を実現することができるとともに、点検作業を効率よく行うことができる。
【００５４】
なお、本実施の形態では、点検スイッチ２０によって点検モードの選択を行い、選択確定は、予約スイッチ９を押すことによって行われる構成としたが、点検モードの選択確定の方法は、これに限定されるものではない。例えば、点検スイッチ２０を中央部とその外周部の２重構成のスイッチとし、外周部のスイッチを上下もしくは左右に押すことにより実施したい点検モードの切り替え選択を行い、希望する点検モードの選択表示状態で中央部のスイッチを押すことにより選択確定とする構成も可能である。
【００５５】
（実施の形態３）
図４は、本発明の実施の形態３における洗濯機の備える点検装置の動作フローチャートである。
【００５６】
本実施の形態３の洗濯機の備える点検装置は、以下の点で、上述した実施の形態１と相違する。すなわち、選択された点検モードの実行が終了したときに、表示手段によって選択されなかった他の個々の点検モードの実施を促す表示を行う構成とした点である。
【００５７】
本実施の形態３の特徴である操作手段の構成およびそれを操作して実行される点検モードの動作、作用について、以下に説明する。
【００５８】
図１において、操作手段２には、洗浄コースを選択するためのコース選択スイッチ７、洗い工程、すすぎ工程、脱水工程を単独で実行させるための工程選択スイッチ８、洗濯機の運転時間を設定するための予約スイッチ９等の各種スイッチが配設されている。また、これら各種スイッチとは独立させて、予め決めておいた複数の点検モードを切り替えて選択可能とし、選択された点検モードを個別に実行するための点検スイッチ２０が配設されている。
【００５９】
点検スイッチ２０は、押す度に給水点検モード、洗濯点検モード、排水点検モード、脱水点検モードの順にサイクル的に点検モードが切り替わるように構成されており、点検したいモードが任意に選択できるように構成されている。
【００６０】
図１および図４において、使用者や点検者が操作手段２によっての点検スイッチ２０を押して点検モードを選択すると、制御手段６は、ステップＳ３０１で点検モードが選択されたと判定する。操作手段２の点検スイッチ２０を操作してステップＳ３０２で確認したい点検モードの種類を選択すると、制御手段６は、ステップＳ３０２で選択した点検モー
ドをステップＳ３０３で実行し、ステップＳ３０４で異常確認を行い、ステップＳ３０４で異常があれば、表示手段３を制御してステップＳ３０７で異常表示を行い、点検モードを終了する。
【００６１】
ステップＳ３０４で異常がなければ、制御手段６は、表示手段３を制御してステップＳ３０５で使用者や点検者に対して選択されなかった他の点検モードを実行するか否かを確認する。使用者や点検者が他の点検モードを実行する場合には、ステップＳ３０２で再び点検モードの種類選択を行う。ステップＳ３０５において、選択されなかった他の個々の点検モードの実施を促す表示を行う際には、それまでに実行された点検モードの点検結果を表示手段３に表示するようにすれば、さらに利便性が向上する。
【００６２】
ステップＳ３０５でさらなる点検モードを実行しない場合、点検モードを終了する。
【００６３】
以上のように、本実施の形態の洗濯機の点検装置によれば、使用者や点検者が実施したい点検モードのみを実施できるので、異常確認時間の短縮や点検モード実行時の節水を実現することができるとともに、他の機能に対しても点検の注意喚起を行い、他の点検モードを追加で実施したいと考えた場合にも、容易に追加して点検確認を行うことができ、点検作業を効率よく行うことができる。
【００６４】
なお、本実施の形態３は、実施の形態１のような一つの点検モードが選択可能なものに対して説明したが、実施の形態２のような任意に複数の点検モードを選択実行できる構成のものに対しても適用可能である。
【００６５】
また、ステップＳ３０５において、選択されなかった他の個々の点検モードの実施を促す表示を行った後、ステップＳ３０２で再び点検モードの種類選択を行う際に、すでに行った点検モードも再度選択可能とすれば、それまでの点検結果に疑問を感じた場合にも再度同じ点検モードを実行することができ、より利便性が向上する。
【００６６】
なお、上記の各実施の形態において、異常確認時には、制御手段６は、表示手段３を制御して異常表示を行う構成としたが、ブザー等の報知手段によって異常報知するようにしてもよいし、また、異常表示と異常報知を併用してもよい。
【産業上の利用可能性】
【００６７】
以上のように、本発明にかかる洗濯機の点検装置は、予め定めた複数の点検モード内の個々の点検モードを、操作手段を操作して個別に点検を実施することで、実施したい点検モードのみを実施できる点検装置を実現することができるので、洗い工程、すすぎ工程、脱水工程を実行するに必要な各種手段（給水手段等）を備えた洗濯機のみならず、同様の工程および各種手段を備えた食器洗浄機等にも有用である。
【符号の説明】
【００６８】
１  給水手段
２  操作手段
３  表示手段
４  洗濯脱水槽
５  排水手段
６  制御手段
７  コース選択スイッチ
８  工程選択スイッチ
９  予約スイッチ
２０  点検スイッチ
【図１】
2017063819.tif 000003
【図２】
2017063819.tif 000004
【図３】
2017063819.tif 000005
【図４】
2017063819.tif 000006
【図５】
2017063819.tif 000007
【図６】
2017063819.tif 000008